(57)【要約】【課題】表示部の保護のためだけに使用されていたハードカバーにキー入力部を設け、かつ、このハードカバーの端部に設けられた接続部を機器本体の接続受け部に接続（挿入）するだけの簡単な構造で、ハードカバーを拡張キーボードとして使用する。【解決手段】機器本体３の表示部３１を被覆するハードカバー１であって、ハードカバー１の裏面１５にキーシートユニット２を設けるとともに、キーシートユニット２からのキー入力を機器本体３の内部回路に電気的に接続する接続端子２４ａ，２４ｂがハードカバー１の突起部１４に設けられている。そして、ハードカバー１に設けられたキーシートユニット２からキー入力を行う場合には、キーシートユニット２が設けられているハードカバー１の裏面１５を上にした状態で、ハードカバー１の突起部１４を機器本体３の挿入部３７に挿入する。【選択図】　図６
2004038770.tif 000002
【特許請求の範囲】
【請求項１】
機器本体の表示部を被覆するハードカバーを有する情報機器において、
前記ハードカバーにキー入力部が設けられるとともに、前記キー入力部を前記機器本体の内部回路に電気的に接続する接続部が設けられ、前記機器本体に、前記ハードカバーの接続部を内部回路に接続するための接続受け部が設けられたことを特徴とするハードカバーを有する情報機器。
【請求項２】
前記キー入力部がキーシートユニットで形成されており、このキーシートユニットが前記ハードカバーの表面または裏面に貼り付けられていることを特徴とする請求項１に記載のハードカバーを有する情報機器。
【請求項３】
前記キー入力部がキーシートユニットで形成されており、このキーシートユニットが前記ハードカバーの表裏両面にそれぞれ貼り付けられるとともに、前記接続受け部に対して前記接続部の接続面を入れ替えて接続することにより、いずれか一方の面のキーシートユニットが使用可能となることを特徴とする請求項１に記載のハードカバーを有する情報機器。
【請求項４】
前記接続受け部に対して前記接続部に形成される接続用パターンの配置位置を表裏のキーシートユニットで異ならせることにより、前記接続受け部に前記接続部を接続したときの信号パターンに基づいて、前記接続受け部に対する前記接続部の挿入方向を検知することを特徴とする請求項３に記載のハードカバーを有する情報機器。
【請求項５】
前記接続部の一方の側に突起部が形成されるとともに、前記接続受け部に前記突起部を検知する検知スイッチが設けられ、前記接続受け部に前記接続部を接続したときの前記検知スイッチのオン、オフに基づいて、前記接続受け部に対する前記接続部の挿入方向を検知することを特徴とする請求項３に記載のハードカバーを有する情報機器。
【請求項６】
前記表示部の表示画面が縦型または横型のいずれかに切り替え可能に設けられており、前記ハードカバーには、表裏いずれか一方の面に縦書きのキー入力部が設けられ、他方の面に横書きのキー入力部が設けられていることを特徴とする請求項１に記載のハードカバーを有する情報機器。
【発明の詳細な説明】
【０００１】
【発明の属する技術分野】
本発明は、ハードカバーを有する情報機器に係り、より詳細には、ハードカバーにキーボードの拡張機能を付加した情報機器に関する。
【０００２】
【従来の技術】
ＰＤＡ等の携帯情報端末では、携帯性をよくするために、本体を小型化する傾向にある。そのため、ＰＤＡの入力手段であるキーを限られた範囲で配置しなければならないため、従来より、キー数を減らしたり、キーのピッチを狭くするといった工夫がされてきた。その一方で、キーボードを外付けにしたり、スライド式のキートップを設ける等の工夫もされてきた。
【０００３】
キーボードの拡張機能を付加する工夫として、本出願人は、特開２００２−７０４９号公報に記載の「入力装置」や、特開２００２−５５７６１号公報に記載の「携帯電子機器」などを提案している。
【０００４】
上記の入力装置は、ハードカバーをＰＤＡの表示部に被せた状態のままで、ハードカバーに形成されたキーを押下することにより、表示部に形成された入力手段であるタッチパネルを通じてＰＤＡに入力できるようになっている。
【０００５】
また、上記の携帯電子機器は、カバーケースにキーボードを配置しているが、その配置している部分は中空構造となっており、この中空部分の内部にキーボード基板を収納し、このキーボード基板上に各キートップを配置する構造となっている。
【０００６】
【発明が解決しようとする課題】
しかし、上記の入力装置では、ＰＤＡの表示ブの上面に入力装置を形成する必要があり、入力装置は透明材質ではあるが、入力装置を通じて表示部を見ることになるので、表示部が濁って見えたりしてしまうといった問題が残されていた。また、入力可能部の範囲がＰＤＡの表示部の範囲に限られるといった制約を受けるといった問題も残されていた。
【０００７】
一方、上記の携帯電子機器では、キーボードの構造が複雑であり、ある程度の厚みも必要であることから、カバーケースを薄くすることができないといった問題が残されていた。また、コストアップにつながるといった問題も残されていた。
【０００８】
本発明はかかる問題点を解決すべく創案されたもので、その目的は、表示部を直接見ている状態でキー入力を可能にするとともに、表示部の大きさに左右されずにキー入力部の大きさを決めることができ、かつ、キー入力の操作性を落とすことなく、十分なキー数、キーピッチを確保することのできるハードカバーを有する情報機器を提供することにある。
【０００９】
【課題を解決するための手段】
本発明の情報機器は、機器本体の表示部を被覆して保護するハードカバーを有する情報機器において、前記ハードカバーにキー入力部が設けられるとともに、前記キー入力部を前記機器本体の内部回路に電気的に接続する接続部が設けられ、前記機器本体に、前記ハードカバーの接続部を内部回路と電気的に接続するための接続受け部が設けられたことを特徴としている。
【００１０】
また、前記キー入力部がキーシートユニットで形成されており、このキーシートユニットが前記ハードカバーの表面または裏面のいずれか一方または両方にそれぞれ貼り付けられた構成となっている。キーシートユニットをハードカバーの表裏両面に設けることにより、セットサイズを大きくすることなく、キーの数を増やすことができる。また、キー入力部をキーシートユニットで形成すれば、キー入力部をハードカバーに貼りつけても、全体としてそれほど厚みが厚くなることはない。
【００１１】
また、ハードカバーの端部に設けられたキー入力部の接続部には、キーシートユニットの回路パターンの各接続端子が等間隔のピッチで形成されている。一方、接続受け部は、機器本体の一側面に凹部を形成し、この凹部内にコネクタを設けた構造となっている。そして、このコネクタに、ハードカバー端部の接続部を挿入することにより、キーシートユニットの回路パターンの各接続端子が機器本体の内部回路（キー入力回路）に電気的に接続されるようになっている。
【００１２】
また、本発明の情報機器は、機器本体の接続受け部に対して、ハードカバーの接続部の接続面を表裏入れ替えて接続することにより、いずれか一方の面のキーシートユニットが使用可能となるように構成されている。
【００１３】
また、本発明の情報機器は、前記接続受け部に対して前記接続部に形成される接続端子の配置パターンを表裏のキーシートユニットで異ならせてもよい。このように、表裏のキーシートユニットで接続端子の配置パターンを異ならせることにより、接続受け部に接続部を接続したときの信号パターンも異なったものとなるので、この信号パターンに基づいて、接続受け部に対する接続部の挿入方向（すなわち、ハードカバーの表面側を上に向けて接続したのか、裏面側を上に向けて接続したのか）を検知することが可能となる。
【００１４】
また、本発明の情報機器は、前記接続部の一方の側に突起部を形成するとともに、前記接続受け部に前記突起部を検知する検知スイッチを設けた構成としてもよい。このような構成とすると、接続受け部に接続部を接続したときの検知スイッチのオン、オフに基づいて、接続受け部に対する接続部の挿入方向（すなわち、ハードカバーの表面側を上に向けて接続したのか、裏面側を上に向けて接続したのか）を検知することが可能となる。
【００１５】
また、本発明の情報機器は、前記表示部の表示画面が縦型または横型のいずれかに切り替え可能に設けられている場合には、前記ハードカバーの表裏いずれか一方の面に縦書きのキー入力部を設け、他方の面に横書きのキー入力部を設けてもよい。これにより、どちらの表示部を選択した場合でも、その表示部の方向に合わせてキー入力部を配置することが可能となる。
【００１６】
【発明の実施の形態】
以下、本発明の実施の形態について、図面を参照して説明する。
【００１７】
［実施の形態１］
図１は、本発明のハードカバーを有する情報機器の全体構成図、図２は表示部を被覆するようにハードカバーを機器本体に装着した状態を示す斜視図、図３は、ハードカバーを機器本体の背面側に装着した状態を示す斜視図である。
【００１８】
ハードカバー１は、本実施の形態１では機器本体３の表面全体を被覆する長方形状の板状体に形成されており、長手方向の両側片１１，１１の先端部（図１では左側）に、側面視逆Ｌ字状の固定爪１２，１２が形成されている。また、ハードカバー１の後側の短片１３には、その中央部に突起部１４が形成されている。このようなハードカバー１は、樹脂や金属等の剛性を持った材料で形成されている。
【００１９】
また、ハードカバー１の裏面（図１では、裏面が上を向いている状態で示されている）１５には、キー入力部となるキーシートユニット２が貼り付けられている。このキーシートユニット２については後述する。
【００２０】
一方、機器本体３の上面には、液晶等で形成された表示部３１と、機器本体の入力装置である複数のキー３２，３２・・・とが設けられている。
【００２１】
また、機器本体３の長手方向の両側面３３，３３の先端部（図１では左側）には、ハードカバー１の固定爪１２，１２をひっかけるためのスライド溝３４，３４が設けられている。
【００２２】
さらに、機器本体３の後側の側面３５には、その左右方向の中央部に、ハードカバー１の突起部１４を挿入保持する溝状の挿入部３７が形成されている。この挿入部３７には、キーシートユニット２からのキー入力信号を内部回路に伝えるためのコネクタが設けられているが、このコネクタについても後述する。
【００２３】
機器本体３を使用しないときには、図２に示すように、ハードカバー１の表面１６側を上に向け、裏面１５側（すなわち、キーシートユニット２が設けられている側）を下に向けて機器本体３の表面と対峙させ、図２中、矢符Ｘ１方向にスライドさせることにより、ハードカバー１の固定爪１２，１２を機器本体３のスライド溝３４，３４に係合させて固定する。
【００２４】
一方、機器本体３を使用するときには、一般的に図３に示すように、ハードカバー１の裏面１５側（すなわち、キーシートユニット２が設けられている側）を上に向けて、機器本体３の下面と対峙させ、図３中、矢符Ｘ１方向にスライドさせることにより、ハードカバー１の固定爪１２，１２を機器本体３のスライド溝３４，３４に係合させて固定する。これにより、ハードカバー１が邪魔になることなく、機器本体３のキー３２を使って入力することができる。
【００２５】
図４は、ハードカバー１の裏面１５に設けられたキーシートユニット２の構造を分解して示す斜視図、図５は、同断面図である。
【００２６】
キーシートユニット２は、第１キーシート２１、キースペーサ２２、第２キーシート２３によって構成されており、これらを粘着剤等で貼り合わせて一体化したものである。
【００２７】
第１キーシート２１は、一般的にポリエステルフィルムを用いて基体を形成し、その表面に回路パターン２４をカーボン印刷等で形成したものである。
【００２８】
ここで、代表的なキーパターンを図４中に拡大して示している。キーパターン２５は、コ字状に形成された第１パターン２５ａと、この第１パターン２５ａの間に挿入されるように配置された第２パターン２５ｂとに分割されている。そして、第１パターン２５ａの他端は、キーシートユニット２の先端接続部２６の一方の側に形成された回路パターン２４の各接続端子２４ａに接続（導通）されており、第２パターン２５ｂの他端は、キーシートユニット２の先端接続部２６の他方の側に形成された回路パターン２４の各接続端子２４ｂに接続（導通）されている。
【００２９】
従って、導電体等にて第１パターン２５ａと第２パターン２５ｂとを同時に接触した場合、つまり、第１パターン２５ａと第２パターン２５ｂとで電気的な導通が完成した場合、両パターン２５ａ，２５ｂ間を通って電流が流れることにより、キー入力信号として検知されることになる。なお、キーシートユニット２の先端接続部２６は、ハードカバー１の突起部１４上に位置している。
【００３０】
キースペーサ２２は、一般的にポリエステルフィルムを用いて形成されており、第１キーシート２１に形成された各キーパターン２５のそれぞれに対応する位置に穴２２ａが開けられたものである。この穴２２ａは、拡大して示したキーパターン２５の全部が入る程度の径に形成されている。
【００３１】
第２キーシート２３は、一般的にポリエステルフィルムを用いて基体を形成し、その表面には入力するキーの名称等を記載したキーシンボル等を印刷し、裏面には第１キーシート２１の各キーパターン２５の位置に対応して導電パターン２７（図４中に拡大して示す円形状のパターン）を形成したものである。表面のキーシンボル部分を押下することにより、この導電パターン２７がキースペーサ２２の穴２２ａを介してキーパターン２５の第１パターン２５ａと第２パターン２５ｂとに接触することで電流が流れ、キー入力信号として検知されることになる。
【００３２】
キーシートユニット２を構成する第１キーシート２１、キースペーサ２２、第２キーシート２３は、薄いポリエステルフィルムで形成されているため、図５に示すように、ハードカバー１の全体の厚さも従来の厚さと大差なく作成することができる。
【００３３】
このようなキーシートユニット２自体は、従来、電卓や電子手帳等で利用されている周知の技術である。
【００３４】
図６は、ハードカバー１に設けられたキーシートユニット２からキー入力を行うために、ハードカバー１の突起部１４を機器本体３の挿入部３７に挿入した状態を示す斜視図、図７は、挿入部３７に挿入された突起部１４の状態を示す断面図である。
【００３５】
すなわち、ユーザは、ハードカバー１に設けられたキーシートユニット２を使用してキー入力を行う場合には、図６に示すように、機器本体３からハードカバー１を取り外し、キーシートユニット２が設けられている裏面１５を上にした状態で、ハードカバー１の突起部１４を機器本体３の挿入部３７に挿入する。
【００３６】
挿入部３７には、図７に示すように、その内部に、キーシートユニット２の先端接続部２６に形成された各接続端子２４ａ，２４ｂと接続するコネクタ４１が設けられており、このコネクタ４１は、回路基板４２に固定されている。また、コネクタ４１に設けられている各接続端子４４（図７では手前側の１個のみ図示されている）は、キーシートユニット２の先端接続部２６に形成された各接続端子２４ａ，２４ｂのピッチと合致するように対向して設けられており、この各接続端子４４の露出一端部４４ａが、回路基板４２の回路パターンに半田付け等４３により電気的に接続されている。これにより、キーシートユニット２で入力されたキー信号が、先端接続部２６及びコネクタ４１の対応する各接続端子２４ａ，２４ｂ，４４を介して回路基板４２に形成された回路（キー入力回路）に入力されることになる。
【００３７】
［実施の形態２］
図８は、ハードカバー１の実施の形態２を示す斜視図であり、同図（ａ）はハードカバー１の裏面１５側を上に向けた状態、同図（ｂ）はハードカバー１の表面１６側を上に向けた状態を示している。
【００３８】
本実施の形態２では、ハードカバー１の裏面１５側に第１のキーシートユニット２ａを設けるとともに、表面１６側に第２のキーシートユニット２ｂを設けた構成としている。そのため、ハードカバー１の突起部１４の裏面側には、第１のキーシートユニット２ａの先端接続部２６ａに形成された各接続端子２４ａ，２４ｂが設けられており、ハードカバー１の突起部１４の表面側には、第２のキーシートユニット２ｂの先端接続部２６ｂに形成された各接続端子２４ａ，２４ｂが設けられている。
【００３９】
これにより、ハードカバー１の裏面１５を上に向けた状態で、ハードカバー１の突起部１４を機器本体３の挿入部３７に挿入すると、第１のキーシートユニット２ａの先端接続部２６ａに形成された各接続端子２４ａ，２４ｂと、コネクタ４１の各接続端子４４とが接続し、第１のキーシートユニット２ａが有効となってキー入力信号が機器本体３内の回路基板４２に形成された回路（キー入力回路）に伝達される。このとき、第２のキーシートユニット２ｂの先端接続部２６ｂに形成された各接続端子２４ａ，２４ｂはコネクタ４１の各接続端子４４とは接続せず、第２のキーシートユニット２ｂは無効となる。
【００４０】
同様に、ハードカバー１の表面１６を上に向けた状態で、ハードカバー１の突起部１４を機器本体３の挿入部３７に挿入すると、第２のキーシートユニット２ｂの先端接続部２６ｂに形成された各接続端子２４ａ，２４ｂと、コネクタ４１の各接続端子４４とが接続し、第２のキーシートユニット２ｂが有効となってキー入力信号が機器本体３内の回路基板４２に形成された回路（キー入力回路）に伝達される。このとき、第１のキーシートユニット２ａの先端接続部２６ａに形成された各接続端子２４ａ，２４ｂはコネクタ４１の各接続端子４４とは接続せず、第１のキーシートユニット２ａは無効となる。
【００４１】
なお、図８では、第１のキーシートユニット２ａと第２のキーシートユニット２ｂとがほぼ同じ位置（表裏で対向した位置）にあるが、第１のキーシートユニット２ａを例えばハードカバー１の突起部１４に近い位置（図面上では右側寄り）に配置し、第２のキーシートユニット２ｂを例えばハードカバー１の突起部１４から遠い位置（図面上では左側寄り）に配置することも可能である。このように、表裏でキーシートユニットの配置位置をずらせることにより、ハードカバー１の突起部１４を機器本体３の挿入部３７に挿入したとき、キーシートユニットがハードカバー１の右寄りにあるのか左寄りにあるのかで、ハードカバー１の裏面１５側が接続されているのか、表面１６側が接続されているのかを容易に判断することができる。
【００４２】
［実施の形態３］
図９は、ハードカバー１の実施の形態３を示す斜視図であり、同図（ａ）はハードカバー１の裏面１５側を上に向けた状態、同図（ｂ）はハードカバー１の表面１６側を上に向けた状態を示している。
【００４３】
本実施の形態３では、上記実施の形態２と同様、ハードカバー１の裏面１５側に第１のキーシートユニット２ａを設けるとともに、表面１６側に第２のキーシートユニット２ｂを設けた構成としている。また、ハードカバー１の突起部１４の裏面側には、第１のキーシートユニット２ａの先端接続部２６ａに形成された各接続端子２４ａ，２４ｂが設けられており、ハードカバー１の突起部１４の表面側には、第２のキーシートユニット２ｂの先端接続部２６ｂに形成された各接続端子２４ａ，２４ｂが設けられている。
【００４４】
ただし、本実施の形態３では、ハードカバー１が裏面１５または表面１６のどちらを上に向けて機器本体３に挿入されたのか（すなわち、第１のキーシートユニット２ａまたは第２のキーシートユニット２ｂのどちらが有効であるのか）を検知する検知手段を備えている。
【００４５】
この検知手段は、本実施の形態３では、各キーシートユニット２ａ，２ｂの先端接続部２６ａ，２６ｂに形成されている各接続端子２４ａ，２４ｂの配線パターンを一部変えておくことで実現している。
【００４６】
すなわち、第１のキーシートユニット２ａの先端接続部２６ａには、図９（ａ）に示すように、左側半分の領域２７ａにのみ接続端子２４ａ，２４ｂの配線パターンを形成し、右側半分の領域２７ｂには全面パターン２４ｃを形成しておく。一方、第２のキーシートユニット２ｂの先端接続部２６ｂには、図９（ｂ）に示すように、右側半分の領域２７ｂにのみ接続端子２４ａ，２４ｂの配線パターンを形成し、左側半分の領域２７ａには全面パターン２４ｃを形成しておく。
【００４７】
つまり、ハードカバー１の裏面１５側を上に向けた状態で、突起部１４を機器本体３の挿入部３７に挿入したときと、ハードカバー１の表面１６側を上に向けた状態で、突起部１４を機器本体３の挿入部３７に挿入したときとで、コネクタ４１に対する全面パターン２４ｃの接触位置が異なるように設けている。突起部１４を機器本体３の挿入部３７に挿入したとき、全面パターン２４ｃと接触する部分は電気的に短絡状態となる。この短絡状態が、コネクタ４１のどの位置にあるかを回路基板４２側で電気的に検知することによって、ハードカバー１の裏面１５または表面１６のどちらを上に向けて挿入されたか（すなわち、突起部１４の挿入部３７への挿入方向）を検知することができる。
【００４８】
［実施の形態４］
図１０は、ハードカバー１の実施の形態４を示す斜視図であり、同図（ａ）はハードカバー１の裏面１５側を上に向けた状態、同図（ｂ）はハードカバー１の表面１６側を上に向けた状態を示している。
【００４９】
本実施の形態４では、上記実施の形態２と同様、ハードカバー１の裏面１５側に第１のキーシートユニット２ａを設けるとともに、表面１６側に第２のキーシートユニット２ｂを設けた構成としている。また、ハードカバー１の突起部１４の裏面側には、第１のキーシートユニット２ａの先端接続部２６ａに形成された各接続端子２４ａ，２４ｂが設けられており、ハードカバー１の突起部１４の表面側には、第２のキーシートユニット２ｂの先端接続部２６ｂに形成された各接続端子２４ａ，２４ｂが設けられている。
【００５０】
ただし、本実施の形態４では、ハードカバー１が裏面１５または表面１６のどちらを上に向けて機器本体３に挿入されたのか（すなわち、第１のキーシートユニット２ａまたは第２のキーシートユニット２ｂのどちらが有効であるのか）を検知する検知手段を備えている。
【００５１】
この検知手段は、本実施の形態４では、各キーシートユニット２ａ，２ｂの先端接続部２６ａ，２６ｂの一方の側（すなわち、ハードカバー１の突起部１４の一方の側）に検知用突起部２８を形成し、機器本体３の挿入部３７の内部の一方の側に、図示は省略しているが、検知用突起部２８を検知する検知スイッチを設けることで実現している。
【００５２】
例えば、図１０（ａ）に示す状態でハードカバー１が機器本体３に挿入されたとき、検知用突起部２８と検知スイッチとが対向するように、検知スイッチを配置しておけば、ハードカバー１の裏面１５側を上に向けた状態（すなわち、第１のキーシートユニット２ａを上に向けた図１０（ａ）に示す状態）で、突起部１４を挿入部３７に挿入したときには検知スイッチがオンし、ハードカバー１の表面１６側を上に向けた状態（すなわち、第２のキーシートユニット２ｂａを上に向けた図１０（ｂ）に示す状態）で、突起部１４を挿入部３７に挿入したときには検知スイッチがオフ状態のままとなる。
【００５３】
従って、このような検知スイッチのオン、オフによって、ハードカバー１の裏面１５または表面１６のどちらを上に向けて挿入されたか（すなわち、突起部１４の挿入部３７への挿入方向）を検知することができる。
【００５４】
［実施の形態５］
図１１は、ハードカバー１の実施の形態５を示す斜視図である。
【００５５】
本実施の形態５のハードカバー１は、裏面１５に設けられたキーシートユニット２の各キーの文字を横型とした例である。その他の構成は、上記実施の形態１のハードカバー１の構造と全く同じである。
【００５６】
すなわち、本実施の形態５のハードカバー１は、機器本体３の表示部３１の表示画面が横型の場合に適用されるものである。因みに、上記実施の形態１〜実施の形態４のハードカバー１は、機器本体３の表示部３１の表示画面が縦型の場合に適用されるものとして説明している。
【００５７】
［実施の形態６］
図１２は、ハードカバー１の実施の形態６を示す斜視図であり、同図（ａ）はハードカバーの裏面側を上に向けた状態、同図（ｂ）はハードカバーの表面側を上に向けた状態を示している。
【００５８】
本実施の形態６のハードカバー１の構造は、上記実施の形態２のハードカバー１の構造と全く同じであり、ハードカバー１の裏面１５側に第１のキーシートユニット２ａを設けるとともに、表面１６側に第２のキーシートユニット２ｂを設けた構成としたものであるが、本実施の形態６では、ハードカバー１の裏面１５側に設けられた第１のキーシートユニット２ａの各キーの文字を縦型とし、ハードカバー１の表面１６側に設けられた第２のキーシートユニット２ｂの各キーの文字を横型とした例を示している。
【００５９】
本実施の形態６のハードカバー１は、機器本体３の表示部３１の表示画面が縦型または横型のいずれかに切り替え可能に設けられている場合に適用されるものである。すなわち、表示部３１を縦型として使う場合には、ハードカバー１の裏面１５側を上に向けた状態（すなわち、第１のキーシートユニット２ａを上に向けた図１２（ａ）に示す状態）で、突起部１４を挿入部３７に挿入し、表示部３１を横型として使う場合には、ハードカバー１の表面１６側を上に向けた状態（すなわち、第２のキーシートユニット２ｂを上に向けた図１２（ａ）に示す状態）で、突起部１４を挿入部３７に挿入すればよい。
【００６０】
【発明の効果】
以上説明したように、本発明のハードカバーを有する情報機器によれば、表示部の保護のためだけに使用されていたハードカバーにキー入力部を設け、かつ、このハードカバーの端部に設けられた接続部を機器本体の接続受け部に接続（挿入）するだけの簡単な構造で、ハードカバーを拡張キーボードとして使用することができる。また、ハードカバーの片面または両面全体をキー入力部とすることができるので、キー数やキーピッチ等の制約を受けず、また表示部の視認性も妨げることのない、操作性に優れた拡張キーボードを提供することができる。
【図面の簡単な説明】
【図１】本発明のハードカバーを有する情報機器の全体構成図である。
【図２】機器本体の表示部を被覆するようにハードカバーを機器本体に装着した状態を示す斜視図である。
【図３】ハードカバーを機器本体の背面側に装着した状態を示す斜視図である。
【図４】ハードカバーの裏面に設けられたキーシートユニットの構造を分解して示す斜視図である。
【図５】図４に示すハードカバーの断面図である。
【図６】ハードカバーに設けられたキーシートユニットからキー入力を行うために、ハードカバーの突起部を機器本体の挿入部に挿入した状態を示す斜視図である。
【図７】挿入部に突起部を挿入した状態を示す断面図である。
【図８】ハードカバーの実施の形態２を示す斜視図であり、（ａ）はハードカバーの裏面側を上に向けた状態、（ｂ）はハードカバーの表面側を上に向けた状態を示している。
【図９】ハードカバーの実施の形態３を示す斜視図であり、（ａ）はハードカバーの裏面側を上に向けた状態、（ｂ）はハードカバーの表面側を上に向けた状態を示している。
【図１０】ハードカバーの実施の形態４を示す斜視図であり、（ａ）はハードカバーの裏面側を上に向けた状態、（ｂ）はハードカバーの表面側を上に向けた状態を示している。
【図１１】ハードカバーの実施の形態５を示す斜視図である。
【図１２】ハードカバーの実施の形態５を示す斜視図であり、（ａ）はハードカバーの裏面側を上に向けた状態、（ｂ）はハードカバーの表面側を上に向けた状態を示している。
【符号の説明】
１　ハードカバー
２　キーシートユニット
２ａ　第１のキーシートユニット
２ｂ　第２のキーシートユニット
３　機器本体
１２　固定爪
１４　突起部
１４ａ　裏面側
１４ｂ　表面側
１５　裏面
１６　表面
２１　第１キーシート
２２　キースペーサ
２３　第２キーシート
２４　回路パターン
２４ａ，２４ｂ　接続端子
２４ｃ　全面パターン
２５ａ　第１パターン
２５ｂ　第２パターン
２６，２６ａ，２６ｂ　先端接続部
２７　導電パターン
２８　検知用突起部
３１　表示部
３２　キー
３７　挿入部
４１　コネクタ
４２　回路基板
４４　接続端子
【図１】
2004038770.tif 000003
【図２】
2004038770.tif 000004
【図３】
2004038770.tif 000005
【図４】
2004038770.tif 000006
【図５】
2004038770.tif 000007
【図６】
2004038770.tif 000008
【図７】
2004038770.tif 000009
【図８】
2004038770.tif 000010
【図９】
2004038770.tif 000011
【図１０】
2004038770.tif 000012
【図１１】
2004038770.tif 000013
【図１２】
2004038770.tif 000014